(57)【要約】本発明は商品の販売や宣伝をするために、売場内または壁面に組立てて設置され、商品を陳列したり備え付けておくための組立式の商品陳列台の構造に関する。特に、下敷部材に垂直に立てられるフレームと、フレームを支持するための固定桿と、装飾パネルと、下敷部材と、アンカ部材とを利用することで、多くの実施例で示す商品陳列台を簡単に組立て設置することができるようにし、売場の仕切りとして設置して売場を分割することで、売場と壁面空間を効率的に活用できるようにする、組立及び解体が容易な組立式の商品陳列台の構造に関する。本発明は地面でフレーム（１０，１０−１）を支持するための下敷部材（２０）と、下敷部材（２０）にフレーム（１０，１０−１）を垂直方向で立てて締結ボルト（２１）で締結する締結プレート（２２）によって垂直方向で立てられるフレーム（１０，１０−１）と、上記フレーム（１０，１０−１）の間隔と堅牢性を支持するための固定桿（３０）と、フレーム（１０，１０−１）の前後面またはその何れか一方の片面に締結される装飾パネル（４０）と、上記下敷部材（２０）を覆って底を形成する底板材（５０）とを備えて構成される。
2011505189.tif 000002
【特許請求の範囲】
【請求項１】
地面でフレーム（１０，１０−１）を支持するための下敷部材（２０）と、下敷部材（２０）にフレーム（１０，１０−１）を締結プレート（２２）によって垂直方向に立てられるフレーム（１０，１０−１）、
フレーム（１０，１０−１）を支持するための固定桿（３０）とフレーム（１０，１０−１）の前後面またはその何れか一方の片面に締結される装飾パネル（４０）及び上記下敷部材（２０）を覆って底を形成する底板材（５０）を組立てて備えることを特徴とする組立式の商品陳列台の構造。
【請求項２】
請求項１において、
フレーム（１０，１０−１）は、上記補強部材（１１）が隔板（１２）により連結されており左右側に中空形状をなす締結部材（１３）を一体に備えることを特徴とする組立式の商品陳列台の構造。
【請求項３】
請求項１において、
上記締結部材（１３）の内側面に貫通孔（１５）が穿設されており、固定桿（３０）の端部の締結溝（３１）が貫通孔（１５）の穿孔縁に締結されることを特徴とする組立式の商品陳列台の構造。
【請求項４】
請求項１において、
上記フレーム（１０，１０−１）の締結部材（１３）の前後またはその何れか一方の片面に装飾パネル（４０）を連続締結して備えることを特徴とする組立式の商品陳列台の構造。
【請求項５】
請求項１において、
上記フレーム（１０，１０−１）を地面と天上に固定させるためのフレーム（１０，１０−１）の端部が嵌め込まれる切欠溝（７２）と支持段差（７３）を有するアンカ部材（７０）を備えることを特徴とする組立式の商品陳列台の構造。
【発明の詳細な説明】
【技術分野】
【０００１】
本発明は商品の販売や宣伝をするために、売場内または壁面に組立て設置され、商品を陳列したり備え付けるための組立式の商品陳列台の構造に関する。特に、下敷部材に垂直に立てられるフレームと、フレームを支持するための固定桿と、装飾パネルと、下敷部材と、アンカ部材とを利用することで、多くの実施例で示す商品陳列台を簡単に組立て設置できるようにし、売場の仕切りとして設置することで売場を分割して売場と壁面空間を効率的に活用できるようにする、組立及び解体が容易な組立式の商品陳列台の構造に関する。
【背景技術】
【０００２】
大型マート、デパート等では各種商品を大量に取扱うことから、多くの商品をより効率的に陳列・備え付けて販売効果を高めるために、売場内の空間に陳列台を設置したり、壁面に陳列台を付着設置する。
【０００３】
このような商品陳列台は、売場内に設置される陳列台や壁面付着型等の構成に応じて製造される。このため、各々を設置する作業の難しさや、それぞれについて付属品を製造しなければならないという問題点、そして商品を陳列するための色々な種類の商品陳列用の下敷具を用意しなければならない等の問題が生じる。
【０００４】
特に売場ごとにショーケースの大きさ、陳列方法などが異なり、売場に応じた陳列台を設計するため、大量生産性がない。
【０００５】
また、デパート等では、それぞれの売場を分割させて別の売場空間を仕切る際に、別途、壁の設置作業をし、さらにその壁面に再び陳列台を設置する、というような二重の費用負担が必要になる問題も起きている。
【０００６】
とりわけ仕切りは、既に知られているように、煉瓦を積んで壁を構築したりパネルなどの板材を締結させて壁構造物を形成して作ると、多額の費用が掛かり、それらを収容する面積も広すぎて売場面積が減少してしまうという短所もある。
【０００７】
従来の商品陳列台には、主に、凹凸形状の断面で構成される支柱フレームと、その凹凸部に締結されるパネルと、下敷部とを備えており、売場内に建てられるように構成される商品陳列台や、壁面に固定付着される壁面フレームと、壁面フレームに締結されるパネルとを備える商品陳列台とがある。
【発明の開示】
【発明が解決しようとする課題】
【０００８】
本発明は、上記のような従来の問題点を改善するために案出されたものである。特に、地面に支持される下敷部材に固定されて垂直に立てられる補強部材と締結部材とを有するフレームと、両側のフレームに締結されてフレームを支持する固定桿と、上記フレームに締結される装飾パネルと、そして下敷部材の上に乗せて結合される底板材とによって商品陳列台を構成することで、各部品の生産が容易で、特に現場での組立てや分解を容易に行えるようにすることを目的とする。
【０００９】
そして上記フレームの前後のうち何れか一方の片面または両面にパネルを設けて、片面または両面に商品を陳列するできるようにすることと、上記フレームとパネルに公知の商品陳列用の棚部材を締結させることで商品の陳列ができるようにすることを目的とする。
【００１０】
本発明のもう一つの目的は、天井と地面に締結されてフレームの上・下端部が嵌め込まれて締結される固定部材で固定させて固定桿と装飾パネルが締結できるようにすること、前後の装飾パネルどうしの間に防音材、断熱材を備えており売場を分割する仕切りとして設置されることができるようにすること、装飾パネルにて構成される前後の壁面に商品陳列用の棚部材を締結して商品を陳列する仕切りとして設置できるようにすることを目的とする。
【００１１】
また上記フレームの前後に突出する補強部材を、その何れか一方側だけに形成するようにして、壁面と近接して設置する壁面設置型の商品陳列台を構成することを目的とする。
【００１２】
このような本発明は、商品陳列台の設置幅を自由に設定することができ、売場内で自由な位置に設置可能な移動型と、壁面固定型、または仕切り型の中から選択して設置することができる特徴と、前後面のうちの何れか一面または両面に商品陳列ができるようにすることで使用効果の増大と製作が容易で設置が便利な特徴を発揮することを目的とする。
【課題を解決するための手段】
【００１３】
本発明の上記課題を解決するための手段について、添付図面により詳しく説明すれば次の通りである。
【００１４】
図１は本発明の重要部分を分離した分解斜視図で、図２は図１の結合された側断面図であり、図３（ａ）は本発明の実施例の小型陳列台の平面図で、（ｂ）は大型陳列台の平面図である。
【００１５】
そして図４は、本発明を利用した仕切りの適用状態の平面図で、図５は本発明の商品陳列部を片方に構成した状態の平面図で、図６は本発明を壁面に近接させて設置した状態の壁面付着型の商品陳列台を図示する平面図である。
【００１６】
本発明は、上記図面で図示した通り、地面でフレーム（１０，１０−１）を支持するための下敷部材（２０）と、下敷部材（２０）にフレーム（１０，１０−１）を垂直方向で立てて締結ボルト（２１）で締結する締結プレート（２２）によって垂直方向で立てられるフレーム（１０，１０−１）と、
上記フレーム（１０，１０−１）の間隔と堅牢性を支持するための固定桿（３０）と、フレーム（１０，１０−１）の前面と後面の両面、またはその何れか一方の片面に締結される装飾パネル（４０）と、上記下敷部材（２０）を覆って底を形成する底板材（５０）とを備えて構成される。
【００１７】
上記フレーム（１０）は、前後に一対の補強部材（１１）が突出されるとともに複数の隔板（１２）で連結されており、左右側面に中空形状をなす締結部材（１３）が一体に構成される中央フレーム（１０）と、
一対の補強部材（１１）における左右の何れか一方の片面に中空形状をなす締結部材（１３）が一体に構成される側面フレーム（１０−１）とを備えて構成される。
【００１８】
そして上記の隔板（１２）には、棚（６０）を締結することのできる複数個の締結孔（１４）が上下で連続的に穿設されており、締結部材（１３）には、固定桿（３０）を差し込ませる貫通孔に、固定桿（３０）の先端部分が差し込まれ、その先端部分に形成されている締結溝（３１）が貫通孔（１５）の穿孔縁に嵌め込まれて締結されることで、中央フレーム（１０）と側面フレーム（１０−１）とを堅固に支持するものとして構成されている。
【００１９】
また、上記フレーム（１０，１０−１）の締結部材（１３）の前面及び後面またはその何れか一方の片面には、公知の装飾パネル（４０）を連続させるように締結ボルトで締結する。
【００２０】
このような装飾パネル（４０）には、装飾パネル（４０）に形成される凹凸部に棚（６０）を締結させて商品を陳列することができる。また、隔板（１２）に穿った締結孔（１４）に棚（６０）を締結させることができる。
【００２１】
上記の棚（６０）は、図１で図示した嵌め込む締結型と、図２で図示した挿入支持型などを使うことができる。
【００２２】
これとともに、地面に支持される下敷部材（２０）を隠すために、下向き折曲部（５１）と側面板（５２）が形成されており、突出するフレーム（１０，１０−１）が嵌り込むフレーム露出溝（５３）を設けた底板材（５０）を更に結合する。
【００２３】
このような構成によって本発明は、前後に商品を陳列することができる商品陳列台として、また前後のうちの何れか一方の面に商品を陳列することができる商品陳列台として、そして大、中、小に構成して組立てることができるものであり、このような構成は組立てによって実施できる。
【００２４】
本発明の他の実施例は、地面と天井に締結可能なボルト孔（７１）とフレーム（１０，１０−１）の端部が嵌め込まれる切欠溝（７２）と支持段差（７３）を形成するアンカ部材（７０）を備えており、地面と天井に固定されたアンカ部材（７０）にフレーム（１０，１０−１）を締結するようにする。
【００２５】
そして上記のようにフレーム（１０，１０−１）を固定桿（３０）で固定した状態で、売場を分割する仕切りまたは装飾パネル（４０）を前面部にだけ締結することで、売場の内壁面（１００）に密着することのできる壁面用商品陳列台を構成することができる。
【００２６】
以上の本発明の実施例は望ましい実施例を記述したものであり、この他に本発明のフレーム（１０）、固定桿（３０）、装飾パネル（４０）及び下敷部材（２０）やアンカ部材（７０）を利用して、様々な形態の実施例に構成することができる。
【発明の効果】
【００２７】
本発明は、地面に支持される下敷部材（２０）に立てられるフレーム（１０）、フレーム（１０，１０−１）を支持するための固定桿（３０）、装飾パネル（４０）、下敷部材（２０）にて構成される簡単な構成物であって容易に組立てできるという特徴と、装飾パネルとフレームに商品を陳列する棚を簡単に着脱することができ、装飾パネルを前面と後面のその何れか一方の片面又はそれら両面に設けることで、多くの商品の陳列効果を得ることができ、アンカ部材（７０）でフレームを構成して仕切りまたは壁面と近接した商品陳列台を構成することで、売場の特性に応じた商品陳列台を構成することができる、という効果を発揮する発明である。
【００２８】
また、商品陳列台の設置幅の拡張や縮小を容易に行うことができ、ボルトの締結で組立て可能であるため作業現場で非常に簡単に組立及び解体をすることができ、さらに位置を自由に移動設置することができるため商品陳列をより効率的に行うことができる等の効果を発揮する発明である。
【発明を実施するための最良の形態】
【００２９】
本発明の実施形態の具体的な内容を、添付図面を参照してより詳しく説明すると次のようである。
【００３０】
図１は本発明の重要部分を分離した分解斜視図で、図２は図１の結合された側断面図であり、図３の（ａ）は本発明の実施例の小型陳列台の平面図で、（ｂ）は大型陳列台の平面図を図示したものである。ここに図示したように地面に支持するための下敷部材（２０）に中央フレーム（１０）を垂直方向に立てて締結プレート（２２）と締結ボルト（２１）で締結するのと同時に、もう一つの下敷部材（２０）に上記のような締結で左右側面の側面フレーム（１０−１）を同じ組立て手順により組み立てて備える。
【００３１】
そしてこれらの支柱部材の組みを、左右側と中央に必要な間隔を開けて位置させた状態として、上記フレーム（１０，１０−１）に設けた締結部材（１３）に穿設した貫通孔（１５）に固定桿（３０）を差し込むのと同時に、この固定桿（３０）の両先端部に形成された締結溝（３１）が貫通孔（１５）の穿孔縁に嵌め込まれて固定されるようにしたものを、上下複数個を設けることでフレーム（１０，１０−１）を支持する。
【００３２】
このとき商品陳列台の長さを延ばそうとする場合には、図３（ｂ）で示すように、中央フレーム（１０）をさらに設けることで、連続する長さに構成することができる。小型に構成する場合には、図３（ａ）で示すように、左右の側面フレーム（１０−１）のみで構成することができる。
【００３３】
以上のように支柱部材が組立て設置された状態で、上記フレーム（１０，１０−１）の内側に突出された締結部材（１３）の前後両面には、公知の装飾パネル（４０）を公知の方法で締結することができる。
【００３４】
そして、下敷部材（２０）の凹凸面などを隠すために、底板材（５０）は、突出する下敷部材（２０）を前後両側において隠すように収納し、突出するフレーム（１０，１０−１）の前後の補強部材（１１）がその底板材（５０）に穿設した露出溝（５３）に嵌め込まれることで、底部を形成するようになる。
【００３５】
このように組立てられた本発明は、売場内に設置されて、装飾パネル（４０）には図２で示すような棚（６０）を締結し、またフレーム（１０，１０−１）の補強部材（１１）の隔板（１２）に設けた締結孔（１４）には図１で示すような棚（６０）を締結させ、棚（６０）に商品を前面と後面の両側に陳列することができる。
【００３６】
またこのような商品陳列台は、図３（ａ）で示す左右側面フレーム（１０−１）だけで構成される小型陳列台と、中央フレーム（１０）をさらに備える大型の商品陳列台として図３（ｂ）で示すように組立てることができ、あるいは中央フレーム（１０）を複数並べて備えるものとして構成することで超大型化させることができる。
【００３７】
そして前後に締結される装飾パネル（４０）の間には、図示しない防音材、騷音材などを更に充填することができ、売場で生じる騷音の減少機能を高めることができる。
【００３８】
本発明の図４で図示する実施例２について説明すると、実施例２は本発明を適用して売場を分割する仕切りとして構成できることを示している。
【００３９】
すなわち、売場の面積を分割してそれぞれの小型売場へと分割する場合、区画された地点の地面と天井に締結アンカ部材（７０）を締結する。
【００４０】
そしてこのアンカ部材（７０）に構成された切欠溝（７２）と支持段差（７３）に、フレーム（１０，１０−１）の端部を嵌め込んで立てて、堅固な締結をなすように図示しないボルト締結等によって固定する。
【００４１】
以上によって立てられたフレーム（１０，１０−１）を固定桿（３０）で支持して装飾パネル（４０）を締結させる。
【００４２】
このように形成される小型売場は、実施例２の仕切りの両側に装飾パネル（４０）を備えており、それぞれの面で装飾パネル（４０）に棚（６０）を取付けて商品を陳列することができ、別途のショーケースを用意する煩わしさがない。
【００４３】
そして上記前後に組立てされる装飾パネル（４０）の内側には、図示しない騷音材を充填することで、一方の売場で発生した騷音が他方の売場に伝達することを防止して騷音防止効果も高めることができるようになる。
【００４４】
本発明の図５は本発明の他の実施例３を図示したもので、上記フレーム（１０，１０−１）の補強部材（１１）が何れか一方の片面だけに構成されて、他の面には突出する補強部材（１１）を無くしたフレーム（１０，１０−１）を利用して実施される。
【００４５】
すなわち、このような実施例は、図５のように商品陳列を何れか一方の面だけで行う場合、または商品陳列台が壁面に近接させて設置する場合に実施することができる。
【００４６】
このような実施例は、実施例１のように地面で支持するための下敷部材（２０）に中央フレーム（１０）と側面フレーム（１０−１）を締結プレート（２２）によって立てて、それぞれのフレーム（１０，１０−１）を固定桿（３０）で支持した状態として、前面に装飾パネル（４０）を締結する。
【００４７】
そして下敷部材（２０）の凹凸面などを隠すために底板材（５０）を前面に被せて構成することで、商品陳列を前面だけで実施することができるようになる。
【００４８】
このような商品陳列台は商品陳列台が壁面に近接する場合または他の物品などが裏面部に位置される場合に実施されることができる。
【００４９】
また中央フレーム（１０）を設けて大型化することができ、または中央フレーム（１０）を無くして側面フレーム（１０−１）だけで組立てることで小型タイプとして構成することもできる。
【００５０】
本発明の実施例４は、図６で図示するように、上記の実施例２を適用して壁面陳列台を構成するためのものである。
【００５１】
すなわち、売場の内壁面（１００）に近接するか密着させるために構成されるもので、この場合には地面と天井にアンカ部材（７０）を締結する。
【００５２】
そしてこのアンカ部材（７０）に形成された切欠溝（７２）と支持段差（７３）にフレーム（１０，１０−１）の端部を嵌め込んで立てる一方、堅固な締結をなすように図示しないボルト締結などによって固定する。
【００５３】
以上によって立てられたフレーム（１０，１０−１）どうしを固定桿（３０）で支持して装飾パネル（４０）を前面に締結させるようにする。
【００５４】
したがって内壁面（１００）に、装飾パネル（４０）とフレーム（１０，１０−１）が構成されて、この装飾パネル（４０）には上記したように棚（６０）を締結して商品を陳列することができる。また、フレーム（１０，１０−１）の隔板（１２）に穿った締結孔（１４）に棚（６０）を締結させて商品を陳列することができる。
【００５５】
本発明の上記実施例は、本発明の望ましい実施例を記述したものであり、以上の他にも地面で支持するための下敷部材（２０）に中央フレーム（１０）を垂直方向に立てて締結プレート（２２）で締結するとともに装飾パネル（４０）を利用することで他の実施例を構成することができる。
【産業上の利用可能性】
【００５６】
本発明は、商品の販売と宣伝をするために売場内または壁面に組立て設置されて商品を陳列し備え付けるための組立式の商品陳列台を提供する。
本発明は、下敷部材で垂直に立てられるフレームと、フレームを支持するための固定桿と、装飾パネルと、下敷部材と、アンカ部材とを利用して、多くの実施例の商品陳列台を簡単に組立て設置することができるものであり、売場の仕切りとして設置することで売場を分割して売場と壁面空間を効率的に活用することができる、組立て及び解体が容易な組立式の商品陳列台として利用することができる。
【図面の簡単な説明】
【００５７】
【図１】本発明の重要部分を分離した分解斜視図。
【図２】図１を組立てた側断面図。
【図３】（ａ）は本発明の実施例の小型陳列台の平面図、（ｂ）は大型陳列台の平面図。
【図４】本発明を利用した仕切りの適用状態の平面図。
【図５】本発明の商品陳列部を片側に構成した状態の平面図。
【図６】本発明を壁面に近接させて設置した状態の壁面付着型の商品陳列台を図示する平面図。
【符号の説明】
【００５８】
１０，１０−１  フレーム
１１  補強部材
１２  隔板
１３  締結部材
１４  締結孔
１５  貫通孔
２０  下敷部材
２１  締結ボルト
２２  締結プレート
３０  固定桿
３１  締結溝
４０  装飾パネル
５０  底板材
５１  下向折曲部
５２  側面版
５３  露出溝
６０  棚
７０  アンカ部材
７１  ボルト孔
７２  切欠溝
７３  支持段差
１００  内壁面
【図１】
2011505189.tif 000003
【図２】
2011505189.tif 000004
【図３】
2011505189.tif 000005
【図４】
2011505189.tif 000006
【図５】
2011505189.tif 000007
【図６】
2011505189.tif 000008
【国際調査報告】
2011505189.tif 000009
2011505189.tif 000010